(57)【要約】【課題】従来のコンパスは、筆記体と、それを押え止めする部材との接触面積が小さくて、筆記体の固定が不安定であるという不満があった。そこで本考案は、回転脚に保持した鉛筆等筆記体の固定状態を安定させることができるコンパスの提供を課題とする。【解決手段】回転脚に設けられた上下方向に開通する孔部に鉛筆等筆記体を通した状態で、その筆記体の側面部を押え止め可能な固定部材と、その固定部材を押圧して筆記体に対する押え止めを可能とする移動自在な締付部材とが具えられたことを特徴とする。【選択図】        図１
2004167721.tif 000002
【特許請求の範囲】
【請求項１】
回転脚に設けられた上下方向に開通する孔部に鉛筆等筆記体を通した状態で、その筆記体の側面部を押え止め可能な固定部材と、その固定部材を押圧して筆記体に対する押え止めを可能とする移動自在な締付部材とが具えられたことを特徴とするコンパス。
【請求項２】
回転脚に横向きの枝部が設けられ、その枝部に上下方向に開通する孔部が設けられ、その枝部の外周部に固定部材として筆記体固定リングが枝部の軸方向へスライド自在に外嵌され、その筆記体固定リングの端縁部が孔部の上下の開口位置で筆記体の側面部に当接されて筆記体が押え止めされるようになし、又、回転脚の枝部に雄ネジが形成されて、締付部材として雌ネジを有する締付リングが回転脚の枝部における筆記体固定リングの外側に螺着された請求項１記載のコンパス。
【請求項３】
筆記体固定リングにおいて筆記体の側面部に当接される部位の端縁部に切欠凹部が形成された請求項１又は２記載のコンパス。
【請求項４】
切欠凹部と孔部の上下の開口とを位置合わせするために、枝部の側面にガイド溝が設けられるとともに、筆記体固定リングの内面にそのガイド溝とスライド自在に嵌合するリブが設けられた請求項３記載のコンパス。
【請求項５】
孔部の内面部に、角形の鉛筆など角形筆記体の側面角部とフィットする形状の切込みが形成された請求項１，２，３又は４記載のコンパス。
【発明の詳細な説明】
【０００１】
【発明の属する技術分野】
本発明は、円を作図するときに使用する文房具又は製図用具のコンパスに関する。
【０００２】
【従来の技術】
従来、中心脚の周囲を回転する脚の下端に上下方向に開通する孔部を設けて、その孔部に鉛筆等の筆記体を通し、その筆記体の側面部をネジで移動可能な固定リングにより押え止めするようにしたコンパスが存在する（例えば、特許文献１参照）。
しかしながら、かかるコンパスの固定リングは回転しながら移動して筆記体の側面部を押すことになるので、その筆記体の側面部に当接する端縁部の形状を、固定リングの回転が不可能とならないような平らな形状にする必要があり、筆記体とリングとの接触面積が小さくて筆記体の固定が不安定であるという不満がある。
【０００３】
【特許文献１】
登録実用新案第３０５８０９９号公報（図５）
【０００４】
【発明が解決しようとする課題】
本発明は、回転脚に保持した鉛筆等筆記体の固定状態を安定させることができるコンパスの提供を課題とする。
【０００５】
【課題を解決するための手段】
上記課題を解決するために、本発明のコンパスは、回転脚に設けられた上下方向に開通する孔部に鉛筆等筆記体を通した状態で、その筆記体の側面部を押え止め可能な固定部材と、その固定部材を押圧して筆記体に対する押え止めを可能とする移動自在な締付部材とが具えられたことを特徴とする、という構成にしたものである。
【０００６】
また、本発明のコンパスは、回転脚に横向きの枝部が設けられ、その枝部に上下方向に開通する孔部が設けられ、その枝部の外周部に固定部材として筆記体固定リングが枝部の軸方向へスライド自在に外嵌され、その筆記体固定リングの端縁部が孔部の上下の開口位置で筆記体の側面部に当接されて筆記体が押え止めされるようになし、又、回転脚の枝部に雄ネジが形成されて、締付部材として雌ネジを有する締付リングが回転脚の枝部における筆記体固定リングの外側に螺着された構成にすることができる。
【０００７】
また、本発明のコンパスは、筆記体固定リングにおいて筆記体の側面部に当接される部位の端縁部に切欠凹部が形成された構成にすることもできる。
【０００８】
また、本発明のコンパスは、切欠凹部と孔部の上下の開口とを位置合わせするために、枝部の側面にガイド溝が設けられるとともに、筆記体固定リングの内面にそのガイド溝とスライド自在に嵌合するリブが設けられた構成にすることもできる。
【０００９】
また、本発明のコンパスは、孔部の内面部に、角形の鉛筆など角形筆記体の側面角部とフィットする形状の切込みが形成された構成にすることも可能である。
【００１０】
【発明の実施の形態】
以下、図を用いて本発明の実施の形態について説明する。なお、図は本発明の一実施例を示したものであり、本発明はこの実施例に限定されるものではない。まず、本発明のコンパスは、下端に針部２を有する中心脚１と、その周囲を回転する回転脚３とが具えられて、その回転脚３に鉛筆４等の筆記体が取り付け可能となっている。
【００１１】
回転脚３は中心脚１よりやや短小で、その下端部に横向きの枝部５が外方へ突設されている。この枝部５は回転脚３に対し垂直でなくともよく、図に示したように、先端側が下がるようにやや傾斜させることも可能である。そして、この枝部５に鉛筆４などの筆記体を通して保持する縦向きの、すなわち上下方向に開通した孔部６が設けられている。この孔部６の内径は、鉛筆４など筆記体の外径より幾分大きくされている。
【００１２】
枝部５の外周部には、鉛筆４等筆記体の側面部を押え止め可能な固定部材として、筆記体固定リング７が、その枝部５の軸方向へスライド自在に外嵌されている。
【００１３】
筆記体固定リング７には、その内側の端縁部における上下２箇所に切欠凹部８，９を設けることができる。この切欠凹部８，９の形状は、筆記体の側面部にフィットする形状、例えば断面円形の筆記体に対しては図に示すような円弧状にすることができる。また、この切欠凹部８，９は、枝部５の孔部６における上下の開口１０，１１と位置を合わせている。この位置合せを行うために、図に示すように、枝部５の側面にガイド溝１２（図１参照）を設けるとともに、筆記体固定リング７の内面にそのガイド溝１２とスライド自在に嵌合するリブ１３，１４を設けることが可能である。
【００１４】
枝部５の外面には雄ネジ部１５を設けることができる。そして、その雄ネジ部１５と螺着する雌ネジ部１６を設けた締付リング１７を枝部５の外周部に外嵌することができる。この締付リング１７は筆記体固定リング７の外側に位置して、その内側の端面を筆記体固定リング７に接触させることができる。
【００１５】
以下に、鉛筆等筆記体の取付方法を説明する。まず、締付リング１７を弛めて、締付リング１７と筆記体固定リング７を枝部５の先端方向、すなわち外側方向へ移動させて、枝部５の孔部６における上下の開口１０，１１を全開状態、すなわち筆記体固定リング７が孔部６における上下の開口１０，１１を塞がない状態とする。そして、その孔部６に鉛筆４等の筆記体を通す。
【００１６】
次に、締付リング１７を回転させて枝部５の内側方向へ移動させ、かつ、その締付リング１７で筆記体固定リング７を押して、筆記体固定リング７も枝部５の内側方向へ移動させて、筆記体固定リング７の上下２箇所の切欠凹部８，９の内面部をそれぞれ鉛筆４等筆記体の側面部に当接させて押え止めする。これにより鉛筆４等の筆記体は、孔部６における反対側の内面部と、筆記体固定リング７における切欠凹部８，９の内面部との間に挟まれて固定する。
【００１７】
なお、筆記体固定リング７における孔部６の平面形状は自由であり、円形でなくとも構わない。また、図示したように、孔部６の内面部に、角形の鉛筆４など角形筆記体の側面角部とフィットする形状の切込み１８（図２参照）などを設けることも可能である。このような切込み１８を設ければ、筆記体の固定状態をさらに安定させることができる。
【００１８】
【発明の効果】
請求項１記載の本発明のコンパスは、筆記体を押え止めする固定部材を締付部材が移動して押圧するようにしたので、固定部材を回転させずに移動させることができ、これにより筆記体と接触する固定部材の端縁部を平らにする必要がなくなって、その端縁部を筆記体の側面部にフィットする形状になして筆記体の固定を安定させることができる。
請求項２記載の本発明のコンパスは、締付部材を回転することにより固定部材を押してスライドさせて、筆記体の側面部を容易且つ確実に押え止めすることができる。
請求項３記載の本発明のコンパスは、筆記体固定リングの凹状切欠部の内面部が筆記体の側面に当接するので、その接触面積が増えて、筆記体の固定状態が安定する。
請求項４記載の本発明のコンパスは、ガイド溝にリブをスライド自在に嵌合させることによって切欠凹部と孔部の上下の開口とを容易に位置合わせすることができる。
請求項５記載の本発明のコンパスは、孔部の内面に設けた切込みに筆記体の側面角部をフィットさせることができるので、筆記体の固定状態を安定させることができる
【図面の簡単な説明】
【図１】全体の正面図である。
【図２】回転脚の枝部の平面図である。
【図３】回転脚の枝部の縦断面図である。
【図４】筆記体固定リングの断面図である。
【符号の説明】
１  中心脚
２  針部
３  回転脚
４  鉛筆
５  枝部
６  筆記体取付孔
７  筆記体固定リング
８  切欠凹部
９  切欠凹部
１０  開口
１１  開口
１２  ガイド溝
１３  リブ
１４  リブ
１５  雄ネジ部
１６  雌ネジ部
１７  締付リング
１８  切込み
【図１】
2004167721.tif 000003
【図２】
2004167721.tif 000004
【図３】
2004167721.tif 000005
【図４】
2004167721.tif 000006